(57)【要約】【課題】  ディスプレイに表示する角度を制御することで、業務にかかわる従業員の作業環境をセキュアにすること。【解決手段】  従業員が作業中、後ろを他の従業員が通り過ぎたときに、ＰＣディスプレイ１１０４が表示されたり表示されなかったりしないよう、ＰＣカメラ１１０１でとらえた顔が横を向いていると判断した場合、認証ＮＧの顔がいる角度へも画像をＰＣディスプレイ１１０４に表示する。会議やレビューなどで、大勢の人が１つのＰＣディスプレイ１１０４を見ることがある場合に、一定人数以上の人がいる場合は、ＰＣディスプレイ１１０４の全角度に画像を表示する。ＰＣカメラ１１０１による顔の認証がしづらい条件下にあるとき、ＰＣカメラ１１０１の代わりに非接触ＩＣカード７１０３を用いて人物の認証を行う。【選択図】  図８
2014157484.tif 000002
【特許請求の範囲】
【請求項１】
生体認証システムであって、
顔画像と、顔の位置を表す顔座標とを対応して記憶する顔座標メモリと、
認証されたユーザのひとつ又は複数の顔画像を予め記憶した認証顔リストと、
ディスプレイの表示範囲又は表示角度を制御するための処理部と
を備え、
前記処理部は、読込んだ画像からひとつ又は複数の顔画像及び顔座標を検出し、ひとつ又は複数の顔画像及び顔座標を前記顔座標メモリに書込み、
前記処理部は、前記顔座標メモリを参照して、各顔画像が横を向いているかを判定し、横を向いていると判定した顔画像及び顔座標のデータに対応して横顔識別情報を設定し、
前記処理部は、前記顔座標メモリを参照し、横顔識別情報により識別される横を向いている顔画像以外の各顔画像が、前記認証顔リストに記憶された顔画像のいずれかと一致しているか判定し、一致していない顔画像に対する顔座標のデータを前記顔座標メモリから削除し、
前記処理部は、前記顔座標メモリを読取り、ひとつ又は複数の顔座標に基づく予め定められた範囲又は角度に、ディスプレイの表示範囲又は表示角度を制御する
ことを特徴とする生体認証システム。
【請求項２】
請求項１に記載の生体認証システムにおいて、
前記処理部は、検出した顔画像の数が予め定められた一定数以上であるとき、前記認証顔リスト内の顔画像と一致していない顔画像に対応するデータがあっても、全範囲又は全角度に前記ディスプレイの表示範囲又は表示角度を制御することを特徴とする生体認証システム。
【請求項３】
請求項１又は２に記載の生体認証システムにおいて、
前記処理部は、前記認証顔リストに記憶された顔画像のいずれかと一致しているか判定したとき、前記認証顔リスト内の顔画像と一致する顔画像が1つもない場合、前記ディスプレイに表示しないように制御することを特徴とする生体認証システム。
【請求項４】
請求項１乃至３のいずれかに記載の生体認証システムにおいて、
顔座標に対して、前記ディスプレイの表示範囲又は表示角度が予め格納されている表示角度リスト
をさらに備え、
前記処理部は、各顔座標に基づき前記表示角度リストを参照して、前記ディスプレイの表示範囲又は表示角度を定める
ことを特徴とする生体認証システム。
【請求項５】
請求項１乃至４のいずれかに記載の生体認証システムにおいて、
人物の位置を表す人座標を記憶する人座標メモリと、
人物識別カードの位置を表す人物識別カード座標を記憶する人物識別カード座標メモリと
をさらに備え、
前記処理部は、読み込んだ画像から人座標を検出し、人座標を前記人座標メモリに書き込み、
前記処理部は、取得した人物識別カード座標を、前記人物識別カード座標メモリに書き込み、
前記処理部は、前記人座標メモリに記憶されたひとつ又は複数の人座標のなかで、前記人物識別カード座標メモリに記憶されたひとつ又は複数の人物識別カード座標と一致しないデータを、前記人座標メモリから削除し、
前記処理部は、前記顔座標メモリ及び前記人座標メモリを読取り、ひとつ又は複数の顔座標と、ひとつ又は複数の人座標との両方に基づく予め定められた範囲又は角度に、ディスプレイの表示範囲又は表示角度を制御する
ことを特徴とする生体認証システム。
【請求項６】
請求項５に記載の生体認証システムにおいて、
人物識別カード座標読取アンテナを有する座標読取送信部
をさらに備え、
前記座標読取送信部は、前記人物識別カード座標読取アンテナより、ひとつ又は複数の人物識別カードの人物識別カード座標を読み取り、該人物識別カード座標を送信し、
前記処理部は、前記座標読取送信部から該人物識別カード座標を受信する
ことを特徴とする生体認証システム。
【請求項７】
請求項５又は６に記載の生体認証システムにおいて、
前記人物識別カードは、非接触ICカード、又は、バーコード若しくは２次元コードが印刷されたカードであることを特徴とする生体認証システム。
【請求項８】
請求項１乃至７のいずれかに記載の生体認証システムにおいて、
人物の画像を読込むためのカメラと、
前記カメラから画像を受信する画像受信部と
をさらに備えた生体認証システム。
【請求項９】
請求項１乃至８のいずれかに記載の生体認証システムにおいて、
前記処理部により表示範囲又は表示角度が制御されるディスプレイ
をさらに備えた生体認証システム。
【請求項１０】
生体認証システムにおける生体認証方法であって、
前記生体認証システムは、
顔画像と、顔の位置を表す顔座標とを対応して記憶する顔座標メモリと、
認証されたユーザのひとつ又は複数の顔画像を予め記憶した認証顔リストと、
ディスプレイの表示範囲又は表示角度を制御するための処理部と
を備え、
前記処理部は、読込んだ画像からひとつ又は複数の顔画像及び顔座標を検出し、ひとつ又は複数の顔画像及び顔座標を前記顔座標メモリに書込み、
前記処理部は、前記顔座標メモリを参照して、各顔画像が横を向いているかを判定し、横を向いていると判定した顔画像及び顔座標のデータに対応して横顔識別情報を設定し、
前記処理部は、前記顔座標メモリを参照し、横顔識別情報により識別される横を向いている顔画像以外の各顔画像が、前記認証顔リストに記憶された顔画像のいずれかと一致しているか判定し、一致していない顔画像に対する顔座標のデータを前記顔座標メモリから削除し、
前記処理部は、前記顔座標メモリを読取り、ひとつ又は複数の顔座標に基づく予め定められた範囲又は角度に、ディスプレイの表示範囲又は表示角度を制御する
ことを特徴とする生体認証方法。
【発明の詳細な説明】
【技術分野】
【０００１】
本発明は、生体認証システム及び方法に係り、特に、コールセンタなどの業務に携わる従業員の作業環境をセキュアにするため、ディスプレイ視野角を制御するためのＰＣカメラや識別カードを用いた生体認証システム及び方法に関する。
【背景技術】
【０００２】
コールセンタなどの職場環境では、各従業員に１台または複数台のＰＣなどの機器が割り当てられており、各従業員がそれぞれ割り振られた業務を行っている。
従業員によって、割り振られる業務のレベル、範囲、量などが異なり、従業員によって、参照できる情報の重要度も異なるが、各従業員は、同じ職場環境で働いている。そのため、例えばある従業員が、自身の参照できない情報を、別の従業員がその情報を参照しているときに覗き見することで、情報が漏洩される場合が想定される。
コールセンタのオペレータなどの従業員の場合、アルバイトなどあまり業務知識を有していない下位の従業員が多数おり、業務でわからないことがあると、下位の従業員は、上位の従業員を呼び、助けを求めることがある。その際、上述のような情報漏洩を防止するためにディスプレイの表示角度をあらかじめ狭くしておくという方法をとった場合、下位の従業員は、上位の従業員とディスプレイを参照することが困難となる場合がある。
【０００３】
特許文献１では、携帯電話端末のカメラ部を用いて、「携帯電話端末１０は、非操作者２による覗き見がなされていると判断した時、例えばディスプレイ１１上に覗き見されていることの通知情報を表示したり、視野角制御フィルタで視野角を狭くするような覗き見対策を実行する」（要約）ようにしたものが記載されている。また、特許文献２には、「検出した顔が記憶部に登録された画像の顔と一致するか否かを調べ、検出した顔が登録された画像の顔と一致していないと、検出した顔から瞳孔および虹彩のうち、少なくともいずれか一方の真円度を算出し、真円度が第一の閾値よりも小さいと、表示部が覗き見されていると判定する制御部」（要約）を有する携帯端末、覗き見判定方法およびプログラムが記載されている。
【先行技術文献】
【特許文献】
【０００４】
【特許文献１】特開２０１０−１２８７７８号公報
【特許文献２】特開２０１１−１８２３０７号公報
【発明の概要】
【発明が解決しようとする課題】
【０００５】
しかし、先行技術では下記の課題を解決できない。
（１）従業員が作業しているときに、後ろを他の従業員が通り過ぎることがある。例えば、あらかじめ登録しておいた人がいる角度にのみディスプレイに画像を表示し、登録されていない人がいる角度には画像を表示しないなどの制御をしている場合、登録されていない人が通り過ぎるたびにディスプレイに表示しないようにしていると、ディスプレイが表示されたり表示されなかったりして、従業員が作業しづらくなる場合がある。
（２）会議やレビューなどでは、大勢の人が１つのディスプレイを見ることがある。全員がディスプレイの内容を確認する必要があるが、特許文献１のようにあらかじめ登録しておいた人がいる角度にのみディスプレイに画像を表示し、登録されていない人がいる角度には画像を表示しないなどの制御をしている場合、ほとんどの人が登録されていない人であると、ディスプレイに画像を表示することができなくなってしまう場合がある。
（３）カメラにて顔認証する場合、マスクやめがねの着用などのような条件によっては顔を認証しづらいことがある。
本発明は、以上の点に鑑み、ディスプレイに表示する角度を制御することで、業務にかかわる従業員の作業環境をセキュアにすることを目的とする。
【課題を解決するための手段】
【０００６】
本発明の生体認証システムは一例として、
顔画像と、顔の位置を表す顔座標とを対応して記憶する顔座標メモリと、
認証されたユーザのひとつ又は複数の顔画像を予め記憶した認証顔リストと、
ディスプレイの表示範囲又は表示角度を制御するための処理部と
を備え、
前記処理部は、読込んだ画像からひとつ又は複数の顔画像及び顔座標を検出し、ひとつ又は複数の顔画像及び顔座標を前記顔座標メモリに書込み、
前記処理部は、前記顔座標メモリを参照して、各顔画像が横を向いているかを判定し、横を向いていると判定した顔画像及び顔座標のデータに対応して横顔識別情報を設定し、
前記処理部は、前記顔座標メモリを参照し、横顔識別情報により識別される横を向いている顔画像以外の各顔画像が、前記認証顔リストに記憶された顔画像のいずれかと一致しているか判定し、一致していない顔画像に対する顔座標のデータを前記顔座標メモリから削除し、
前記処理部は、前記顔座標メモリを読取り、ひとつ又は複数の顔座標に基づく予め定められた範囲又は角度に、ディスプレイの表示範囲又は表示角度を制御する
ことを特徴とする。
【発明の効果】
【０００７】
本発明によれば、ディスプレイに表示する角度を制御することで、業務にかかわる従業員の作業環境をセキュアにすることができる。
【図面の簡単な説明】
【０００８】
【図１】顔認証システムの構成図である。
【図２】ＰＣ本体部についての構成図（顔認証）である。
【図３】認証フローチャート(顔認証)である。
【図４】認証ＯＫリスト２１０８の説明図である。
【図５】表示角度リスト２１１３の説明図である。
【図６】全員に画像を表示する例（１）の説明図である。
【図７】全員に画像を表示する例（２）の説明図である。
【図８】人認証システムの構成図である。
【図９】ＰＣ本体部についての構成図（人認証）である。
【図１０】非接触ＩＣカード座標読取送信装置の構成図である。
【図１１】認証フローチャート（非接触型ＩＣカード認証）である。
【図１２】表示対象顔座標メモリ２１１０の説明図である。
【図１３】表示対象人座標メモリ５１０５の説明図である。
【図１４】非接触ＩＣカード座標メモリ５１０８、６１０３の説明図である。
【図１５】ＰＣ本体部についての構成図（顔及び人認証）である。
【図１６】画像表示フローチャートである。
【図１７】ディスプレイ画像表示角度メモリ２１１４の説明図である。
【発明を実施するための形態】
【０００９】
以下、実施例を、図面を用いて説明する。
１．概要
本実施例は、ディスプレイやＰＣなどに接続したＰＣカメラ等にて、顔や虹彩などの生体や、首にぶら下げたカードなどを識別し認証することで、ディスプレイの表示角度を制御することができる。
本実施例では、認証ＯＫとなった人が１人の場合、認証ＯＫとなった人がいる角度のみに画像を表示することで、担当業務外の従業員などによる覗き見を防止できる。
本実施例では、あらかじめ、担当の下位の従業員に加え、上位の従業員も登録しておき、認証ＯＫとなった人が複数人となった場合、視野角をあらかじめ定めた角度まで表示角度を広くすることで、下位の従業員は、上位の従業員の助けを求めながら業務を遂行できる。
本実施例では、リアルタイムで認証することで、瞬時に対象者にのみ情報を表示することができるため、一定期間、従業員が席を離れた場合や別の従業員が一瞬後ろを通ってディスプレイを参照した場合でも、覗き見を抑止できる。
【００１０】
本実施例では、さらに、以下の技術を実現可能とする。
（１）図６に、全員に画像を表示する例（１）の説明図を示す。例えば、図示のように、従業員が作業中、後ろを他の従業員が通り過ぎたときに、ディスプレイが表示されたり表示されなかったりしないよう、ＰＣカメラでとらえた顔の目の数や鼻の位置などから顔が横を向いていると判断した場合、覗き見をしていないとみなし、認証ＮＧの顔がいる角度へも画像をディスプレイに表示することができる。
（２）図７に、全員に画像を表示する例（２）の説明図を示す。例えば、図示のように、会議やレビューなどで、大勢の人が１つのディスプレイを見ることがある場合に、全員がディスプレイの表示を見れるようにするため、一定人数以上の人がいる場合は、ディスプレイの全角度に画像を表示することができる。
（３）被認証者がマスクをしている等、ＰＣカメラによる顔の認証がしづらい条件下にあるとき、ＰＣカメラの代わりに非接触ＩＣカードを用いて人物の認証を行うことができる。
【実施例１】
【００１１】
２．顔認証システム
図１は、本実施例における、顔認証システムの構成図（顔認証）である。
顔認証システムは、ＰＣ本体１１０３、ＰＣカメラ１１０１、ＰＣディスプレイ１１０４を有している。
図２は、本実施例における、ＰＣ本体部についての構成図である。
ＰＣ本体１１０３は、顔認証処理部２１１６及び顔認証記憶部２１０６を有している。顔認証処理部２１１６は、画像受信部２１０１、顔検出部２１０５、人数算出部２１０２、横顔判定部２１０３、認証部２１０７、表示角度判定部２１１１、表示制御部２１１５、横顔座標読取部２１０４、認証ＮＧ顔座標読取部２１０９、認証ＯＫ顔座標読取部２１１２を有している。また、顔認証記憶部２１０６は、表示対象顔座標メモリ２１１０、認証ＯＫリスト２１０８、表示角度リスト２１１３、ディスプレイ画像表示角度メモリ２１１４を有している。ＰＣディスプレイ１１０４は、表示制御部２１１５により、画像を表示する範囲又は角度が適宜制御される。
【００１２】
図４は、本実施例における、認証ＯＫリスト（認証顔リスト）２１０８の説明図である。
認証ＯＫリスト２１０８には、認証ＯＫとする顔の一覧が格納されている。
図５は、本実施例における、表示角度リスト２１１３の説明図である。
表示角度リスト２１１３には、表示対象顔座標メモリ２１１０に対しＰＣディスプレイ１１０３に画像を表示する範囲が格納されている。
図１２は、顔認証記憶部２１０６内にある表示対象顔座標メモリ２１１０の説明図である。
表示対象顔座標メモリ２１１０には、顔検出部２１０５が検出した顔画像及び顔の座標、横顔判定部２１０３により判定される横顔識別情報が、対応して格納されている。
図１７は、ディスプレイ画像表示角度メモリ２１１４の説明図である。
ディスプレイ画像表示角度メモリ２１１４には、ＰＣディスプレイ１１０３に画像を表示する表示範囲（角度）が格納される。
【００１３】
図３は、本実施例における、認証フローチャート（顔認証）である。
まず、画像受信部２１０１は、ＰＣカメラ１１０１が読込んだ画像を受信する（４１０１）。
顔検出部２１０５は、画像受信部２１０１が読込んだ画像からすべての顔を検出し（４１１４）、顔の画像及び座標を、顔認証記憶部２１０６にある表示対象顔座標メモリ２１１０に書込む。
人数算出部２１０２は検出した顔の中に人が何人いるかを算出し、一定人数（例えば５人）以上いるか、判定する（４１１０）。一定人数（例えば５人）以上いるとき、表示制御部２１１５により、ＰＣディスプレイ１１０４の全角度に画像を表示する（４１１１）。一定人数未満であれば、処理は、ステップ４１１２に進む。なお、人数の閾値は自由に変更することができる。
【００１４】
横顔判定部２１０３は、画像受信部２１０１が読込んだ画像の顔の目の数と目鼻口の位置から、読込んだ顔が横を向いているか（横顔があるか）を判定する（４１１２）。横顔判定部２１０３が、読込んだ画像の顔の中に横を向いている顔がある（横顔がある）と判断した場合、横顔座標読取部２１０４は、横顔の座標を読み取る（４１１３）。横顔判定部２１０３は、横顔座標読取部２１０４により読み取った横顔の座標と一致する座標が、表示対象顔座標メモリ２１１０に登録されていると判断した場合、その座標に対応する横顔識別情報に予め定めた値（例、「１」）を登録し、ステップ４１０２へ進む。横顔判定部２１０３が、読込んだ画像の顔の中に横を向いている顔があると判断しない（横顔がない）場合、処理は、ステップ４１０２へ進む。
認証部２１０７は、認証ＯＫリスト２１０８を読込む（４１０２）。認証部２１０７は、表示対象顔座標メモリ２１１０を参照し、横顔判定フラグが「１」となっていないことを確認することにより、どの顔画像が横顔以外の顔画像かを判断し、横顔以外の顔画像が、認証ＯＫリスト２１０８に登録された顔と一致しているか判定する（４１０３）。表示対象顔座標メモリ２１１０に記憶されたデータ中、横顔以外の顔画像に、認証ＯＫリスト２１０８に登録された顔と一致する顔が１人もいない場合、処理は、画像読込４１０１に戻る。表示対象顔座標メモリ２１１０に記憶されたデータ中、横顔以外の顔画像に、認証ＯＫリスト２１０８に登録された顔と一致する顔がいる場合、認証部２１０７は、読込んだ顔に認証ＯＫリスト２１０８に登録された顔と一致していない顔があるか判定する（４１０７）。一致していない顔（認証ＮＧの顔）がある場合、認証ＮＧ顔座標読取部２１０９は、表示対象顔座標メモリ２１１０から認証ＮＧの顔がいる座標を除いた顔の座標を、表示対象顔座標メモリ２１１０として書き換える（４１０８）。一方、ステップＳ４１０７で、表示対象顔座標メモリ２１１０の横顔以外の顔画像に、認証ＯＫリスト２１０８に登録された顔と一致していない顔がない場合、処理は、ステップ４１０４へ進む。
【００１５】
表示角度判定部２１１１は、表示対象顔座標メモリ２１１０に記憶された各座標を読取り（４１０４）、その各座標に従い顔認証記憶部２１０６より表示角度リスト２１１３に記憶された表示範囲（角度）を読込む（４１０５）。表示角度判定部２１１１は、表示角度リスト２１１３に基づき、表示対象顔座標メモリ２１１０に登録された座標によりＰＣディスプレイ１１０４に画像を表示する表示範囲（角度）を判定し、顔認証記憶部２１０６にあるディスプレイ画像表示角度メモリ２１１４に書込む。
表示制御部２１１５は、ディスプレイ画像表示角度メモリ２１１４を参照し、表示角度判定部２１１１により判定された表示範囲（角度）にのみ、ＰＣディスプレイ１１０４に画像を表示する（４１０６）。
画像を表示した後（４１０６）、処理は、ステップ４１０１に移る。
【実施例２】
【００１６】
３．人認証システム
図８は、本実施例における、人認証システムの構成図（人認証）である。
本実施例における認証システムは、ＰＣ本体１１０２、ＰＣディスプレイ１１０４、ＰＣカメラ１１０１、非接触ＩＣカード７１０３、非接触ＩＣカード座標読取用アンテナ７１０１、非接触ＩＣカード座標読取送信装置７１０２を有している。
被認証者にその被認証者を特定できる情報を付与した非接触ＩＣカード７１０３を配布し、非認証者は、非接触ＩＣカード７１０３を首にぶら下げるなどして所持しておく。非接触ＩＣカード読取用アンテナ７１０１を部屋の天井に張り巡らせておくことにより、非接触ＩＣカード座標読取送信装置７１０２は、どの位置に非接触ＩＣカード７１０３を保持した認証ＯＫの人がいるかを、正確に把握する。ＰＣカメラ１１０１と非接触ＩＣカード座標読取送信装置７１０２が連動し、ＰＣ本体１１０２は、非接触ＩＣカード７１０３の方向に対し画像をＰＣディスプレイ１１０４に表示する。また、ＰＣカメラ１１０１にて、輪郭や骨格等から人物の位置を識別し、非接触ＩＣカード１１０１の位置以外に人がいると判断された場合は、ＰＣ本体１１０２は、その方向にはＰＣディスプレイ１１０４に画像を表示しない。
【００１７】
図９は、本実施例における、ＰＣ本体部についての構成図である。
ＰＣ本体１１０２は、人認証処理部５１１３及び人認証記憶部５１０４を有している。
人認証処理部５１１３は、画像受信部５１０１、人検出部５１０２、非接触ＩＣカード座標受信部５１０６、座標比較部５１０７、表示角度判定部５１０９、表示制御部５１１２、人座標読取部５１０３を有している。また、人認証記憶部５１０４は、表示対象人座標メモリ５１０５、非接触ＩＣカード座標メモリ５１０８、表示角度リスト５１１０、ディスプレイ画像表示角度メモリ５１１１を有している。
図１０は、本実施例における、非接触ＩＣカード座標読取送信装置の構成例である。
非接触ＩＣカード座標読取送信装置７１０２は、送信装置処理部６１０５と送信装置記憶部６１０２を有している。送信装置処理部６１０５は、非接触ＩＣカード座標読取部６１０１と非接触ＩＣカード座標送信部６１０４を有している。また、送信装置記憶部６１０２は、非接触ＩＣカード座標メモリ６１０３を有している。
【００１８】
図１３は、人認証記憶部５１０４内にある表示対象人座標メモリ５１０５の説明図である。
表示対象人座標メモリ５１０５には、人座標読取部５１０３が読み取った、人の位置する座標（人座標）が格納されている。
図１４は、人認証記憶部５１０４内にある非接触ＩＣカード座標メモリ５１０８、及び、非接触ＩＣカード座標読取送信装置７１０２内にある非接触ＩＣカード座標メモリ６１０３の説明図である。
非接触ＩＣカード座標メモリ５１０８、６１０３には、非接触ＩＣカード座標読取部６１０１が読み取った、非接触ＩＣカードの位置する座標（非接触カード座標）が格納されている。
表示角度リスト５１１０及びディスプレイ画像表示角度メモリ５１１１のフォーマットは、それぞれ、表示角度リスト２１１３及びディスプレイ画像表示角度メモリ２１１４と同様である。
【００１９】
図１１は、本実施例における、認証フローチャート（非接触型ＩＣカード認証）である。
非接触ＩＣカード座標読取送信装置７１０２内の非接触ＩＣカード座標読取部６１０１は、部屋（天井、壁、床等）に張り巡らせた非接触ＩＣカード座標読取アンテナ７１０１より、非接触ＩＣカード７１０３の座標を読み取り（８１０４）、送信装置記憶部６１０２内の非接触ＩＣカード座標メモリ６１０３に読み取った座標を書き込む。
非接触ＩＣカード座標送信部６１０４は、非接触ＩＣカード座標メモリ６１０３から各非接触ＩＣカード７１０３の座標を取得し、ＰＣ本体１１０２に送信する（８１０５）。
画像受信部５１０１は、ＰＣカメラ１１０１より画像を読み込む（８１０１）。
人検出部５１０２は、輪郭や骨格等により読み込んだ画像から人物を検出する（８１０２）。人座標読取部メモリ５１０３は、人物の座標を読み取り、人認証記憶部５１０４の表示対象人座標メモリ５１０５に書き込む（８１０３）。
非接触ＩＣカード座標受信部５１０６は、非接触ＩＣカード座標送信部６１０４より送信される非接触ＩＣカード座標メモリ６１０３を受信し、人認証記憶部５１０４内の非接触ＩＣカード座標メモリ５１０８に書き込む（８１０６）。
【００２０】
座標比較部５１０７は、表示対象人座標メモリ５１０５と非接触ＩＣカード座標メモリ５１０８の各座標を比較する。座標比較部５１０７は、表示対象人座標メモリ５１０５の中で非接触ＩＣカード座標メモリ５１０８と一致しない座標がある場合、その座標を取得し（８１０７）、表示対象人座標メモリ５１０５から一致しない座標を除外する（８１０８）。一方、表示対象人座標メモリ５１０５の中で非接触ＩＣカード座標メモリ５１０８と一致しない座標がない場合、処理は、ステップ８１０９へ進む。
表示角度判定部５１０９は、人認証記憶部５１０４内の表示対象人座標メモリ５１０５に記憶された各座標を読取り（８１０９）、その各座標に従い表示角度リスト５１１０に記憶された表示範囲（角度）を読込む（８１１０）。表示角度判定部５１０９は、表示角度リスト５１１０に基づき、表示対象人座標メモリ５１０５に登録された座標によりＰＣディスプレイ１１０４に画像を表示する表示範囲（角度）を判定し、人認証記憶部５１０４内にあるディスプレイ画像表示角度メモリ５１１１に書込む。
表示制御部２１１５は、ディスプレイ画像表示角度メモリ５１１１を参照し、表示角度判定部５１０９により判定された表示範囲（角度）にのみ、ＰＣディスプレイ１１０４に画像を表示する（８１１１）。
画像を表示した後（８１１１）、処理は、ステップ８１０１へ移る。
【実施例３】
【００２１】
４．顔及び人認証システム
次に顔認証システムと人認証システムを組合せた実施例について説明する。
本実施例における認証システムの構成は、前述の図８に示す人認証システムの構成図と同様である。
図１５は、ＰＣ本体部についての構成図（顔及び人認証）である。
ＰＣ本体１１０２は、図２に示した処理部（１）１１００、図９に示した処理部（２）２１００、表示角度判定部３１０１、表示制御部３１０２、認証記憶部３１０３を有している。認証記憶部３１０３は、図２に示した表示対象顔座標メモリ２１１０及び認証ＯＫリスト２１０８、図９に示した表示対象人座標メモリ５１０５及び非接触ＩＣカード座標メモリ５１０８、表示角度リスト３１０８、ディスプレイ画像表示角度リスト３１０９を有している。なお、表示角度リスト３１０８及びディスプレイ画像表示角度メモリ３１０９のフォーマットは、それぞれ、表示角度リスト２１１３及びディスプレイ画像表示角度メモリ２１１４と同様である。
【００２２】
ここで、図３及び図１１の認証フロー（１）及び（２）の結果から、画像を表示する動作について説明する。
図１６は、本実施例における、画像表示フローチャートである。
まず、処理部（１）１１００は、前述の図３のフロー（１）に従い、表示対象顔座標メモリ２１１０に顔画像、座標、横顔識別情報を登録する（１０００）。また、処理部（２）２１００は、前述の図１１のフロー（２）に従い、表示対象人座標メモリ５１０５に座標を登録する（２０００）。
表示角度判定部３１０１は、表示対象顔座標メモリ２１１０に登録されている座標、及び、表示対象人座標メモリ５１０５に登録されている座標を読み込む（９１０１）。表示角度判定部３１０１は、表示角度リスト３１０８に基づき、ステップ９１０１にて読込んだ表示対象顔座標メモリ２１１０に登録されている座標、及び、表示対象人座標メモリ５１０５に登録されている座標により、ＰＣディスプレイ１１０４に画像を表示する表示範囲（角度）を判定し、ディスプレイ画像表示角度リスト３１０９に登録する（９１０２）。
【００２３】
表示制御部３１０２は、ディスプレイ画像表示角度３１０９を参照し、表示角度判定部３１０１により判定された表示範囲（角度）にのみ、ＰＣディスプレイ１１０４に画像を表示させる（９１０３）。
以上、本実施例において、非接触ＩＣカードを用いた場合について説明したが、非接触ＩＣタグ、バーコードや２次元コード等のコードが印刷されたカード等の適宜の人物識別カードを用いてもよい。
【００２４】
５．各実施例の効果
本実施例１及び３によると、従業員が作業中、後ろを他の従業員が通り過ぎたときに、ＰＣディスプレイが表示されたり表示されなかったりしないよう、ＰＣカメラでとらえた顔の目の数や鼻の位置などから顔が横を向いていると判断した場合、認証ＮＧの顔がいる角度へも画像をＰＣディスプレイに表示することができる。本実施例１及び３によると、会議やレビューなどで、大勢の人が１つのＰＣディスプレイを見ることがある場合に、一定人数以上の人がいる場合は、ＰＣディスプレイの全角度に画像を表示することができる。
また、本実施例２及び３によると、ＰＣカメラによる顔の認証がしづらい条件下にあるとき、ＰＣカメラの代わりに非接触ＩＣカードを用いて人物の認証を行うことができる。
【００２５】
以上のように、本実施例によれば、以下のいずれか又は複数の効果を奏することができる。
・従業員が作業する際、ディスプレイやＰＣなどに接続したＰＣカメラ等にて顔を識別し、認証することで、ディスプレイの表示角度を制御することができる。
・ＰＣカメラでの認証は、顔だけでなく虹彩などの生体や首にぶら下げたカードなどを認証することによってでも、ディスプレイの表示範囲（角度）を制御することができる。
・首にぶら下げたカードなどでの認証は、バーコードをＰＣカメラで読み取ったり、非接触型のカード等を読み取る装置をディスプレイなどに設置し、カードの情報を読み取ることで、ディスプレイの表示範囲（角度）を制御することができる。
・認証ＯＫとなった人が1人の場合、認証ＯＫとなった人がいる表示範囲（角度）のみに画像を表示することができる。
・認証ＯＫとなった人が複数人の場合、視野角をあらかじめ定めた範囲（角度）まで表示範囲（角度）を広くすることができる。
・リアルタイムで認証することで、瞬時に対象者に情報を表示することができる。
・顔認証の際、顔が正面を向いているか横を向いているかを判断し、横を向いていると判断した場合、画面を覗き見していないと判断し、横顔を認識した範囲（角度）にも画像をディスプレイに表示することができる。
・会議中などで人がディスプレイの前に多くいる場合、認証ＮＧの人がいても画像をディスプレイに表示できるようにするため、一定人数を超える場合、全ての範囲（角度）に画像をディスプレイに表示することができる。
・カメラにて顔認証する場合、条件によって顔を認証しづらい場合、非接触ＩＣカードを用いて認証することができる。
【００２６】
６．付記
上述の実施例では、表示範囲（角度）を定めるために表示角度リストを用いたが、表示角度リストを用いずに、表示対象の座標を基準にして予め定めた範囲（又は角度）を表示範囲（角度）と定めるようにしてもよい。
【００２７】
なお、本発明は上記した実施例に限定されるものではなく、様々な変形例が含まれている。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【産業上の利用可能性】
【００２８】
本実施例では、例えば、コールセンタなど、業務委託を実施する産業、又は、機密情報を取り扱っている産業等に適用可能である。
【符号の説明】
【００２９】
１０００  認証フロー（１）
１１００  処理部（１）
１１０１  ＰＣカメラ
１１０２  ＰＣ本体
１１０３  ＰＣ本体
１１０４  ＰＣディスプレイ
２０００  認証フロー（２）
２１００  処理部（２）
２１０１  画像受信部
２１０２  人数算出部
２１０３  横顔判定部
２１０４  横顔座標読取部
２１０５  顔検出部
２１０６  顔認証記憶部
２１０７  認証部
２１０８  認証ＯＫリスト
２１０９  認証ＮＧ顔座標読取部
２１１０  表示対象顔座標メモリ
２１１１  表示角度判定部
２１１２  認証ＯＫ顔座標読取部
２１１３  表示角度リスト
２１１４  ディスプレイ画像表示角度メモリ
２１１５  表示制御部
２１１６  顔認証処理部
３１０１  表示角度判定部
３１０２  表示制御部
３１０３  認証記憶部
３１０８  表示角度リスト
３１０９  ディスプレイ画像表示角度メモリ
５１０１  画像受信部
５１０２  人検出部
５１０３  人座標読取部
５１０４  人認証記憶部
５１０５  表示対象人座標メモリ
５１０６  非接触ＩＣカード座標受信部
５１０７  座標比較部
５１０８  非接触ＩＣカード座標メモリ
５１０９  表示角度判定部
５１１０  表示角度リスト
５１１１  ディスプレイ画像表示角度メモリ
５１１２  表示制御部
５１１３  人認証処理部
６１０１  非接触ＩＣカード座標読取部
６１０２  送信装置記憶部
６１０３  非接触ＩＣカード座標メモリ
６１０４  非接触ＩＣカード座標送信部
６１０５  送信装置処理部
７１０１  非接触ＩＣカード座標読取用アンテナ
７１０２  非接触ＩＣカード座標読取送信装置
７１０３  非接触ＩＣカード
【図１】
2014157484.tif 000003
【図２】
2014157484.tif 000004
【図３】
2014157484.tif 000005
【図４】
2014157484.tif 000006
【図５】
2014157484.tif 000007
【図６】
2014157484.tif 000008
【図７】
2014157484.tif 000009
【図８】
2014157484.tif 000010
【図９】
2014157484.tif 000011
【図１０】
2014157484.tif 000012
【図１１】
2014157484.tif 000013
【図１２】
2014157484.tif 000014
【図１３】
2014157484.tif 000015
【図１４】
2014157484.tif 000016
【図１５】
2014157484.tif 000017
【図１６】
2014157484.tif 000018
【図１７】
2014157484.tif 000019